(57)【要約】【課題】ねじ込み形の電球にカバーを設けずに直接光を照射させる場合でも、振動により電球の口金が緩むのを防止できるねじ込みソケットを提供する。【解決手段】ねじ込みソケットの受け金を、弾性を有する電気伝導体で形成し、弾性変形してねじ込まれた電球の口金の雄ねじを押圧するように構成する。具体的には、口金をねじ込む側と反対側の開口端から円筒の軸方向に複数のスリットを形成して側壁を複数の舌片に分割し、各舌片をそれぞれ円筒の内側に湾曲させる。または、上記舌片を先端ほど厚くし、円筒の外側に湾曲させ、側壁の外側に形成した雄ねじと螺合するナット部材を設ける。または、受け金を、口金の径よりも小径に曲げ加工された線状の螺旋体で構成する。または、受け金を、口金に形成された雄ねじよりも小さいピッチに曲げ加工された線状の螺旋体で構成する。【選択図】図１
2009272061.tif 000002
【特許請求の範囲】
【請求項１】
絶縁物により形成されたハウジングと、
前記ハウジングの内部に配置され、電気伝導体により形成され、弾性変形してねじ込まれた電球の口金を押圧する受け金と、
を含むねじ込みソケット。
【請求項２】
前記受け金は、円筒状の側壁の内側に前記電球の口金に形成された雄ねじと同じピッチの雌ねじが形成され、２つの開口端のうち、前記口金をねじ込む側と反対側の開口端から円筒の軸方向に複数のスリットが形成され、
前記複数のスリットにより分割された側壁である複数の舌片は、それぞれ円筒の内側に湾曲した請求項１に記載のねじ込みソケット。
【請求項３】
前記受け金は、円筒状の側壁の内側に前記電球の口金に形成された雄ねじと同じピッチの雌ねじが形成され、前記側壁の外側に所定のピッチで雄ねじが形成され、２つの開口端のうち、前記口金をねじ込む側と反対側の開口端から軸方向に複数のスリットが形成され、前記複数のスリットにより分割された側壁である複数の舌片は、その厚みが先端ほど厚く、それぞれ円筒の外側に湾曲し、
さらに、前記側壁の外側に形成された雄ねじと螺合するナット部材を備えた請求項１に記載のねじ込みソケット。
【請求項４】
前記受け金は、前記電球の口金の外径よりも小径に曲げ加工された線状の螺旋体である請求項１に記載のねじ込みソケット。
【請求項５】
前記受け金は、前記電球の口金に形成された雄ねじよりも小さいピッチに曲げ加工された線状の螺旋体である請求項１に記載のねじ込みソケット。
【発明の詳細な説明】
【技術分野】
【０００１】
この発明は、電球の口金の緩みを防止する構成を備えたねじ込みソケットに関する。
【背景技術】
【０００２】
近時、音声の再生ユニットと照明器具とを組み合わせたオーディオ装置が提案されている（例えば、特許文献１参照。）。
【０００３】
このような装置の照明器具として白熱電球や電球形蛍光ランプのようなねじ込み形の電球を使用すると、スピーカの振動により電球の口金が緩んで不点灯になる可能性がある。
【０００４】
そこで、このような装置では、ねじ込み形の電球が緩まないようにした固定装置や照明器具を使用することで、上記のような問題の発生を防止できる（例えば、特許文献２，３参照。）。
【特許文献１】特開２００４−３２８６７８号公報
【特許文献２】特開平０６−１８１００４号公報
【特許文献３】特開平０６−３２５６０６号公報
【発明の開示】
【発明が解決しようとする課題】
【０００５】
しかしながら、特許文献２，３に記載の構成は、ねじ込み形の電球の先端部を支持機構により支持し、外部からの振動等によるランプの振れや緩みを防止する構成であった。そのため、ケーシング内にねじ込み形の電球を設けずに、つまり、ねじ込み形の電球をカバーで覆わずに直接光を照射させる構成にする場合には、これらの発明を適用できず、口金の緩みが発生するという問題を解消できない。
【０００６】
そこで、本発明は、ねじ込み形の電球にカバーを設けずに直接光を照射させる場合でも、振動により電球の口金が緩むのを防止できるねじ込みソケットを提供することを目的とする。
【課題を解決するための手段】
【０００７】
この発明は、上記の課題を解決するための手段として、以下の構成を備えている。
【０００８】
（１）絶縁物により形成されたハウジングと、
前記ハウジングの内部に配置され、電気伝導体により形成され、弾性変形してねじ込まれた電球の口金を押圧する受け金と、
を含むことを特徴とする。
【０００９】
この構成においては、ねじ込みソケットの受け金を、弾性を有する電気伝導体で形成し、弾性変形してねじ込まれた電球の口金の雄ねじを押圧するように構成する。したがって、口金と受け金の摩擦抵抗を増大させることができるので、振動等により電球の口金が緩むのを防止できる。
【００１０】
（２）前記受け金は、円筒状の側壁の内側に前記電球の口金に形成された雄ねじと同じピッチの雌ねじが形成され、２つの開口端のうち、前記口金をねじ込む側と反対側の開口端から円筒の軸方向に複数のスリットが形成され、
前記複数のスリットにより分割された側壁である複数の舌片は、それぞれ円筒の内側に湾曲したことを特徴とする。
【００１１】
この構成においては、口金をねじ込む側と反対側の開口端から円筒の軸方向に複数のスリットを形成して側壁を複数の舌片に分割し、各舌片をそれぞれ円筒の内側に湾曲させる。したがって、ねじ込みソケットに電球の口金をねじ込むと、各舌片は弾性変形して口金を常に押圧することになる。これにより、口金と受け金の摩擦抵抗が増大するので、振動等により電球の口金が緩むのを防止できる。
【００１２】
（３）前記受け金は、円筒状の側壁の内側に前記電球の口金に形成された雄ねじと同じピッチの雌ねじが形成され、前記側壁の外側に所定のピッチで雄ねじが形成され、２つの開口端のうち、前記口金をねじ込む側と反対側の開口端から軸方向に複数のスリットが形成され、前記複数のスリットにより分割された側壁である複数の舌片は、その厚みが先端ほど厚く、それぞれ円筒の外側に湾曲し、
さらに、前記側壁の外側に形成された雄ねじと螺合するナット部材を備えたことを特徴とする。
【００１３】
この構成においては、口金をねじ込む側と反対側の開口端から円筒の軸方向に複数のスリットを形成して側壁を複数の舌片に分割し、各舌片をそれぞれ円筒の外側に湾曲させる。また、舌片を先端ほど厚くし、側壁の外側に形成した雄ねじと螺合するナット部材を設けている。したがって、ねじ込みソケット３に電球２１の口金２３をねじ込んでから、ナット部材を回して受け金の他方の開口端側に移動させて、ナット部材が回転しなくなるまで回すことで、各舌片は口金を常に押圧することになる。これにより、口金と受け金の摩擦抵抗が増大するので、振動等により電球の口金が緩むのを防止できる。
【００１４】
（４）前記受け金は、前記電球の口金の外径よりも小径に曲げ加工された線状の螺旋体であることを特徴とする。
【００１５】
この構成においては、受け金を、電球の口金の径よりも小径に曲げ加工された螺旋体で構成する。したがって、ねじ込みソケットに電球の口金をねじ込むと、受け金である線状の螺旋体が弾性変形して口金に巻き付く状態となり、電球の口金をその中心方向に向かって押圧する。これにより、口金と受け金の摩擦抵抗が増大するので、振動等により電球の口金が緩むのを防止できる。
【００１６】
（５）前記受け金は、前記電球の口金に形成された雄ねじよりも小さいピッチに曲げ加工された線状の螺旋体であることを特徴とする。
【００１７】
この構成においては、受け金を、口金に形成された雄ねじよりも小さいピッチに曲げ加工された螺旋体で構成する。したがって、ねじ込みソケットに電球の口金をねじ込むと、受け金である螺旋体は弾性変形して伸ばされた状態となり、線状の電気伝導体（螺旋体）が口金に巻き付く状態となり、電球の口金を螺旋体が縮む方向に押圧することになる。これにより、口金と受け金の摩擦抵抗が増大するので、振動等により電球の口金が緩むのを防止できる。
【発明の効果】
【００１８】
この発明によれば、電球の口金をねじ込む受け金が弾性変形して、口金の雄ねじを押圧するので、受け金と口金の摩擦抵抗を増大する。これにより、ねじ込みソケットが振動しても、電球の口金が緩むのを防止できる。
【発明を実施するための最良の形態】
【００１９】
本発明は、ねじ込み形の電球にカバーを設けずに直接光を照射させる場合でも、振動により電球の口金が緩むのを防止するために、ねじ込みソケットの受け金を、弾性を有する電気伝導体で形成し、弾性変形してねじ込まれた電球の口金の雄ねじを押圧するように構成する。具体的には、以下に説明する第１実施形態乃至第４実施形態のように構成する。
【００２０】
まず、本発明の第１実施形態に係るねじ込みソケットの詳細について説明する。図１は、本発明の第１実施形態に係るねじ込みソケットの概略の構成図である。図１（Ａ）は、ねじ込みソケットの断面図である。図１（Ｂ）は、受け金の斜視図である。図１（Ｃ）は、ねじ込みソケットに電球をねじ込んだ状態を示す断面図である。
【００２１】
図１（Ａ）に示すように、ねじ込みソケット１は、絶縁物により形成されたハウジング１１の内部に受け金１２と中心接触片１３が設けられた構成である。
【００２２】
受け金１２は、金属材料やグラファイト等の弾性（ばね性）を有する電気伝導体を、図１（Ｂ）に示すように円筒状に加工したものである。受け金１２には、ねじ込みソケット１にねじ込む白熱電球や電球形蛍光ランプのようなねじ込み形の電球（以下、単に電球と称する。）２１の口金２３に形成された雄ねじ２５と同じピッチの雌ねじ１４が、円筒の側壁に相当する部分に２つの開口端の一方（１５Ａ）から他方（１５Ｂ）まで全体にわたり形成されている。また、受け金１２には、２つの開口端のうち電球の口金２３をねじ込む側（１５Ａ）と反対側の開口端１５Ｂから円筒の軸方向に中心部から端部にわたって、複数のスリット１６が形成されている（図には９０度毎にスリットを４つ形成した場合を示しているがこれに限らない。）。円筒の側壁は、複数のスリット１６により複数の舌片１７に分割されている。各舌片１７は、円筒の内側に湾曲するように曲げ加工されている。
【００２３】
図１（Ｃ）に示すように、ねじ込みソケット１に電球２１の口金２３をねじ込むと、各舌片１７は弾性変形して口金２３を常に押圧することになる。これは、各舌片１７が受け金１２の内側に、つまり円筒の内側に湾曲するように曲げ加工されており、また口金２３は弾性を有する材料（電気伝導体）により形成されているからである。したがって、口金２３と受け金１２の摩擦抵抗が増大するので、振動等により電球２１の口金２３が緩むのを防止できる。
【００２４】
次に、本発明の第２実施形態に係るねじ込みソケットの詳細について説明する。図２は、本発明の第２実施形態に係るねじ込みソケットの概略の構成図である。図２（Ａ）は、ねじ込みソケットの断面図である。図２（Ｂ）は、受け金の斜視図である。図２（Ｃ）は、受け金とナット部材の斜視図である。図２（Ｄ）は、ねじ込みソケットに電球をねじ込んだ状態を示す斜視図である。
【００２５】
図２（Ａ）に示すように、ねじ込みソケット３は、絶縁物により形成されたハウジング３１の内部に受け金３２と中心接触片３３とナット部材３９が設けられた構成である。
【００２６】
受け金３２は、金属材料やグラファイト等の弾性（ばね性）を有する電気伝導体を、図２（Ｂ）に示すように円筒状に加工したものである。受け金３２には、ねじ込みソケット３にねじ込む電球２１の口金２３に形成された雄ねじ２５と同じピッチの雌ねじ３４が、円筒の側壁に相当する部分に２つの開口端の一方（３５Ａ）から他方（３５Ｂ）まで全体にわたり形成されている。また、受け金３２には、２つの開口端のうち電球２１の口金２３をねじ込む側（３５Ａ）と反対側の開口端３５Ｂから円筒の軸方向に中心部から端部にわたって、複数のスリット３６が形成されている（図には９０度毎にスリットを４つ形成した場合を示しているがこれに限らない。）。円筒の側壁は、複数のスリット３６により複数の舌片３７に分割されている。各舌片３７は、円筒の外側に湾曲するように曲げ加工されている。また、各舌片３７は、その厚みが先端ほど厚くなるように加工されている。
【００２７】
受け金（円筒の側壁）３２の外側には、ナット部材３９の内壁に切られた雌ねじ４０と同じピッチの雄ねじ３８が切られている。そして、受け金３２の側壁には、図２（Ｃ）に示すようにナット部材３９が螺合するように取り付けられている。ナット部材３９には、容易に回すことができるように、その外周部に複数の取手３９Ａが形成されている。
【００２８】
なお、雄ねじ３８のピッチは、口金の雄ねじのピッチと同じでも別のピッチでも良い。
【００２９】
ねじ込みソケット３に電球２１の口金２３をねじ込んだ状態では、図２（Ａ）に示したように、各舌片３７は円筒の外側に湾曲している。そのため、各舌片３７は、口金２３を押圧しない。しかし、図２（Ｄ）に示すように、ナット部材３９を回して受け金３２の他方の開口端３５Ｂ側に移動させることで、各舌片３７は電球２１の口金２３を徐々に押圧するようになる。さらに、ナット部材３９が回転しなくなるまで回すことで、各舌片３７は口金２３を常に押圧することになる。これは、弾性を有する材料（電気伝導体）により口金２３を形成し、また、各舌片３７の厚みを先端ほど厚くなるように加工しているからである。そのため、ナット部材３９を開口端３５Ｂ側に移動させる（回転させる）ことで、円筒の外側に湾曲している各舌片３７を円筒の内側に曲げて、各舌片３７により口金２３に圧力を加えることになる。したがって、口金と受け金３２の摩擦抵抗が増大するので、振動等により電球の口金が緩むのを防止できる。
【００３０】
なお、図２（Ａ），（Ｄ）に示したように、ねじ込みソケット３のハウジング３１の側面（受け金３２の周囲の壁面）には、開口部３１Ａが設けてあり、この開口部３１Ａから指等を挿入してナット部材３９を回転させる。
【００３１】
次に、本発明の第３実施形態に係るねじ込みソケットの詳細について説明する。図３は、本発明の第３実施形態に係るねじ込みソケットの概略の構成図である。図３（Ａ）は、ねじ込みソケットの断面図である。図３（Ｂ）は、ねじ込みソケットに電球をねじ込んだ状態を示す斜視図である。
【００３２】
図３（Ａ）に示すように、ねじ込みソケット５は、絶縁物により形成されたハウジング５１の内部に受け金５２と中心接触片５３が設けられた構成である。
【００３３】
受け金５２は、金属材料やグラファイト等の弾性（ばね性）を有する線状の電気伝導体を螺旋状に加工した螺旋体（ばね）である。受け金５２は、ねじ込みソケット５にねじ込む電球２１の口金２３に形成された雄ねじ２５と同じピッチとなるように、線状の電気伝導体が螺旋状に巻かれている。また、受け金５２は、その内径が電球の口金よりも小さく形成されている。例えば、受け金５２の内径ｄは、電球２１の口金２３に切られた（形成された）雄ねじ２５の谷の部分のｄ内径ｄ’と略同径に形成されている。
【００３４】
上記のように受け金５２の内径ｄを電球２１の口金２３に切られた雄ねじ２５の谷の内径ｄ’と略同径に形成しており、また、受け金５２は弾性を有するので、図３（Ｂ）に示すように、ねじ込みソケット５に電球２１の口金２３をねじ込むと、受け金５２の線状の電気伝導体（螺旋体）が弾性変形して口金２３に巻き付く状態となり、電球２１の口金２３をその中心方向に向かって押圧することになる。したがって、口金２３と受け金５２の摩擦抵抗が増大するので、振動等により電球２１の口金２３が緩むのを防止できる。
【００３５】
なお、図３には、受け金（螺旋体）５２の径を上端から下端まで同径の場合を示したが、これに限らず、例えば、口金２３をねじ込む側の端部は受け金５２の径を口金２３の径より大きくしておき、途中から徐々にまたは段階的にその径が小さくなるように形成しても良い。このように形成しても、口金２３と受け金５２の摩擦抵抗が増大するので、振動等により電球２１の口金２３が緩むのを防止できる。
【００３６】
次に、本発明の第４実施形態に係るねじ込みソケットの詳細について説明する。図４は、本発明の第４実施形態に係るねじ込みソケットの概略の構成図である。図４（Ａ）は、ねじ込みソケットの断面図である。図４（Ｂ）は、ねじ込みソケットに電球をねじ込んだ状態を示す斜視図である。
【００３７】
図４（Ａ）に示すように、ねじ込みソケット７は、絶縁物により形成されたハウジング７１の内部に受け金７２と中心接触片７３が設けられた構成である。
【００３８】
図４（Ｂ）に示すように、受け金７２は、金属材料やグラファイト等の弾性（ばね性）を有する線状の電気伝導体を螺旋状に加工した螺旋体である。受け金７２は、ねじ込みソケット７にねじ込む電球２１の口金２３に形成された雄ねじ２５のピッチＬよりも小さいピッチｌとなるように、線状の電気伝導体が螺旋状に巻かれている。また、受け金７２は、その内径ｄが電球２１の口金２３の谷の部分の内径ｄ’と略同径か、それよりもやや大きく形成されている。
【００３９】
上記のように受け金７２（螺旋体）のピッチｌを電球の口金に切られた雄ねじのピッチＬよりも小さいピッチとなるように形成するとともに、受け金７２（螺旋体）を、弾性を有する材料（電気伝導体）で形成している。そのため、図４（Ｂ）に示すように、ねじ込みソケット７に電球２１の口金２３をねじ込むと、受け金（螺旋体）７２は中心接触片７３と反対側に伸ばされた状態となる。したがって、線状の電気伝導体（螺旋体）が口金２３に巻き付く状態となり、電球２１の口金２３を中心接触片７３の方向に押圧することになる。したがって、口金と受け金３２の摩擦抵抗が増大するので、振動等により電球の口金が緩むのを防止できる。
【００４０】
なお、図４には、受け金（螺旋体）７２のピッチを上端から下端まで同様にした場合を示したがこれに限らず、例えば、口金２３をねじ込む側の端部は受け金７２のピッチを口金２３の雄ねじのピッチと同様にしておき、途中から徐々にまたは段階的にそのピッチが小さくなるように形成しても良い。このように形成しても、口金２３と受け金７２の摩擦抵抗が増大するので、振動等により電球２１の口金２３が緩むのを防止できる。
【００４１】
なお、図１〜図４には、中心接触片を金属片で構成した例を示したがこれに限らず、例えば、中心接触片をばねで構成することで、電球２１の中心電極２７との接触性を高めることができる。
【図面の簡単な説明】
【００４２】
【図１】本発明の第１実施形態に係るねじ込みソケットの概略の構成図である。
【図２】本発明の第２実施形態に係るねじ込みソケットの概略の構成図である。
【図３】本発明の第３実施形態に係るねじ込みソケットの概略の構成図である。
【図４】本発明の第４実施形態に係るねじ込みソケットの概略の構成図である。
【符号の説明】
【００４３】
１，３，５，７…ソケット    １１，３１，５１，７１…ハウジング
１２，３２，５２，７２…受け金    １３，３３，５３，７３…中心接触片
１５Ｂ，３５Ｂ…開口端    １６，３６…スリット    １７，３７…舌片
２１…電球    ２３…口金    ２７…中心電極
３１Ａ…開口部    ３９…ナット部材    ３９Ａ…取手
【図１】
2009272061.tif 000003
【図２】
2009272061.tif 000004
【図３】
2009272061.tif 000005
【図４】
2009272061.tif 000006